(57)【特許請求の範囲】
【請求項１】
現在のサービングセルに存在している場合に、隣接セルがセル再選択条件を満足するかを判断するステップと、
前記隣接セルが前記セル再選択条件を満足する場合に、前記隣接セルの対応するセル再選択情報を取得するステップと、
前記セル再選択情報が履歴ピンポン再選択記録とマッチするかを判断し、前記セル再選択情報は現在のセル再選択時間を少なくとも含み、前記履歴ピンポン再選択記録は各ピンポン再選択記録の対応する履歴セル再選択時間を含む、ステップと、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断するステップと、
前記時間差が前記予め設定された時間差よりも大きい場合に、前記隣接セルに存在するように、前記隣接セルを前記現在のサービングセルとして再選択するステップと、
前記隣接セルを前記現在のサービングセルとして再選択した後、前記予め設定された時間差を延長するステップと、
前記履歴ピンポン再選択記録を更新するように、前記セル再選択情報を前記履歴ピンポン再選択記録に記録するステップと、を含むことを特徴とする、セル再選択方法。
【請求項２】
前記現在のサービングセルに存在している場合に、隣接セルがセル再選択条件を満足するかを判断するステップは、
セル再選択パラメータを取得するステップと、
前記セル再選択パラメータによって、前記隣接セルが前記セル再選択条件を満足するかを判断するステップと、を含むことを特徴とする、請求項１に記載のセル再選択方法。
【請求項３】
前記セル再選択パラメータを取得するステップは、
前記現在のサービングセルの基地局により発行されたシステムメッセージを受信し、前記システムメッセージは、前記現在のサービングセルの再選択優先度、前記現在のサービングセルの最小アクセスレベル、前記隣接セルの再選択優先度、前記隣接セルの最小アクセスレベルの少なくとも１つを含む、ステップ、
及び／又は、
前記現在のサービングセル及び前記隣接セルの信号品質を測定し、前記信号品質は、現在の信号レベル、参照信号受信電力、参照信号受信品質の少なくとも１つを含む、ステップを含むことを特徴とする、請求項２に記載のセル再選択方法。
【請求項４】
前記セル再選択パラメータによって、前記隣接セルが前記セル再選択条件を満足するかを判断するステップは、
前記セル再選択パラメータが予め設定された条件を満足する場合に、前記隣接セルが前記セル再選択条件を満足することを判定し、前記予め設定された条件は、
前記隣接セルの現在の信号レベルが前記隣接セルの最小アクセスレベル以上であり、且つ前記隣接セルの再選択優先度が、前記現在のサービングセルの再選択優先度よりも高いこと、又は
前記隣接セルの参照信号受信電力の対応する信号レベルが、前記隣接セルの最小アクセスレベル以上であり、且つ前記隣接セルの再選択優先度が、前記現在のサービングセルの再選択優先度よりも高いこと、又は
前記現在のサービングセルの現在の信号レベルが、前記現在のサービングセルの最小アクセスレベルよりも小さく、且つ前記隣接セルの再選択優先度が、前記現在のサービングセルの再選択優先度よりも低いことを含む、ステップを含むことを特徴とする、請求項３に記載のセル再選択方法。
【請求項５】
前記セル再選択条件を満足する隣接セルが少なくとも２つ存在している場合に、前記隣接セルの対応するセル再選択情報を取得するステップは、
前記少なくとも２つの隣接セルのうちの各隣接セルの再選択優先度及び／又は前記各隣接セルの信号品質によって、前記少なくとも２つの隣接セルからターゲット隣接セルを確定するステップと、
前記ターゲット隣接セルの対応するセル再選択情報を取得するステップと、を含むことを特徴とする、請求項３に記載のセル再選択方法。
【請求項６】
前記セル再選択情報は、さらに、
前記現在のサービングセルの識別子、前記隣接セルの識別子、セル再選択理由の少なくとも１つを含み、
前記履歴ピンポン再選択記録は、さらに、
前記各ピンポン再選択記録の対応する元セルの識別子、前記各ピンポン再選択記録の対応するターゲットセルの識別子、前記各ピンポン再選択記録の対応するセル再選択理由の少なくとも１つを含むことを特徴とする、請求項１〜５の何れか１項に記載のセル再選択方法。
【請求項７】
前記セル再選択情報が履歴ピンポン再選択記録とマッチするかを判断するステップは、
前記セル再選択情報と前記履歴ピンポン再選択記録のうちの何れか１つのピンポン再選択記録とが以下のマッチ条件を満足する場合に、前記セル再選択情報が前記何れか１つのピンポン再選択記録とマッチすることを確定し、前記マッチ条件は、
前記現在のサービングセルの識別子が、前記何れか１つのピンポン再選択記録の対応する元セルの識別子とマッチすることと、
前記隣接セルの識別子が、前記何れか１つのピンポン再選択記録の対応するターゲットセルの識別子とマッチすることと、
前記セル再選択理由が前記何れか１つのピンポン再選択記録の対応するセル再選択理由とマッチすることと、を含むステップを含むことを特徴とする、請求項６に記載のセル再選択方法。
【請求項８】
現在のサービングセルに存在している場合に、隣接セルがセル再選択条件を満足するかを判断するように構成される、第１の判断モジュールと、
前記隣接セルが前記セル再選択条件を満足する場合に、前記隣接セルの対応するセル再選択情報を取得するように構成される、取得モジュールと、
前記セル再選択情報が履歴ピンポン再選択記録とマッチするかを判断するように構成され、前記セル再選択情報は、現在のセル再選択時間を少なくとも含み、前記履歴ピンポン再選択記録は、各ピンポン再選択記録の対応する履歴セル再選択時間を少なくとも含む、第２の判断モジュールと、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断するように構成される、第３の判断モジュールと、
前記時間差が前記予め設定された時間差よりも大きい場合に、前記隣接セルに存在するように、前記隣接セルを前記現在のサービングセルとして再選択するように構成される、選択モジュールと、
前記隣接セルを前記現在のサービングセルとして再選択した後、前記予め設定された時間差を延長するように構成される、処理モジュールと、
前記履歴ピンポン再選択記録を更新するように、前記セル再選択情報を前記履歴ピンポン再選択記録に記録するように構成される、記録モジュールとを備えることを特徴とする、セル再選択装置。
【請求項９】
前記第１の判断モジュールは、
セル再選択パラメータを取得するように構成される、第１の取得サブモジュールと、
前記セル再選択パラメータによって、前記隣接セルが前記セル再選択条件を満足するかを判断するように構成される、判断サブモジュールと、を備えることを特徴とする、請求項８に記載のセル再選択装置。
【請求項１０】
前記第１の取得サブモジュールは、
前記現在のサービングセルの基地局により発行されたシステムメッセージを受信するように構成され、前記システムメッセージは、前記現在のサービングセルの再選択優先度、前記現在のサービングセルの最小アクセスレベル、前記隣接セルの再選択優先度、前記隣接セルの最小アクセスレベルの少なくとも１つを含む、受信ユニット、
及び／又は、
前記現在のサービングセル及び前記隣接セルの信号品質を測定するように構成され、前記信号品質は、現在の信号レベル、参照信号受信電力、参照信号受信品質の少なくとも１つを含む、測定ユニットを備えることを特徴とする、請求項９に記載のセル再選択装置。
【請求項１１】
前記判断サブモジュールは、
前記セル再選択パラメータが予め設定された条件を満足する場合に、前記隣接セルが前記セル再選択条件を満足することを判定するように構成され、前記予め設定された条件は、
前記隣接セルの現在の信号レベルが前記隣接セルの最小アクセスレベル以上であり、且つ前記隣接セルの再選択優先度が、前記現在のサービングセルの再選択優先度よりも高いこと、又は、
前記隣接セルの参照信号受信電力の対応する信号レベルが、前記隣接セルの最小アクセスレベル以上であり、且つ前記隣接セルの再選択優先度が、前記現在のサービングセルの再選択優先度よりも高いこと、又は
前記現在のサービングセルの現在の信号レベルが、前記現在のサービングセルの最小アクセスレベルよりも小さく、且つ前記隣接セルの再選択優先度が、前記現在のサービングセルの再選択優先度よりも低いことを含む、判定ユニットを備えることを特徴とする、請求項１０に記載のセル再選択装置。
【請求項１２】
前記取得モジュールは、
前記セル再選択条件を満足する隣接セルが少なくとも２つ存在している場合に、前記少なくとも２つの隣接セルのうちの各隣接セルの再選択優先度及び／又は前記各隣接セルの信号品質によって、前記少なくとも２つの隣接セルからターゲット隣接セルを確定するように構成される、第１の確定サブモジュールと、
前記ターゲット隣接セルの対応するセル再選択情報を取得するように構成される、第２の取得サブモジュールと、を備えることを特徴とする、請求項１０に記載のセル再選択装置。
【請求項１３】
前記セル再選択情報は、さらに、
前記現在のサービングセルの識別子、前記隣接セルの識別子、セル再選択理由の少なくとも１つを含み、
前記履歴ピンポン再選択記録は、さらに、
前記各ピンポン再選択記録の対応する元セルの識別子、前記各ピンポン再選択記録の対応するターゲットセルの識別子、前記各ピンポン再選択記録の対応するセル再選択理由の少なくとも１つを含むことを特徴とする、請求項８〜１２の何れか１項に記載のセル再選択装置。
【請求項１４】
前記第２の判断モジュールは、
前記セル再選択情報と前記履歴ピンポン再選択記録のうちの何れか１つのピンポン再選択記録とが、以下のマッチ条件を満足する場合に、前記セル再選択情報が前記何れか１つのピンポン再選択記録とマッチすることを確定するように構成され、前記マッチ条件は、
前記現在のサービングセルの識別子が、前記何れか１つのピンポン再選択記録の対応する元セルの識別子とマッチすることと、
前記隣接セルの識別子が、前記何れか１つのピンポン再選択記録の対応するターゲットセルの識別子とマッチすることと、
前記セル再選択理由が、前記何れか１つのピンポン再選択記録の対応するセル再選択理由とマッチすることと、を含む、第２の確定サブモジュールを備えることを特徴とする、請求項１３に記載のセル再選択装置。
【請求項１５】
プロセッサーと
プロセッサーにより実行可能な命令を記憶するためのメモリとを備える、セル再選択装置であって、
前記プロセッサーは、
現在のサービングセルに存在している場合に、隣接セルがセル再選択条件を満足するかを判断し、
前記隣接セルが前記セル再選択条件を満足する場合に、前記隣接セルの対応するセル再選択情報を取得し、
前記セル再選択情報が履歴ピンポン再選択記録とマッチするかを判断し、前記セル再選択情報は、現在のセル再選択時間を少なくとも含み、前記履歴ピンポン再選択記録は、各ピンポン再選択記録の対応する履歴セル再選択時間を含み、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断し、
前記時間差が前記予め設定された時間差よりも大きい場合に、前記隣接セルに存在するように、前記隣接セルを前記現在のサービングセルとして再選択し、
前記隣接セルを前記現在のサービングセルとして再選択した後、前記予め設定された時間差を延長し、
前記履歴ピンポン再選択記録を更新するように、前記セル再選択情報を前記履歴ピンポン再選択記録に記録するように構成されることを特徴とする、セル再選択装置。
【請求項１６】
プロセッサーに実行されることにより、請求項１〜７のうちいずれか１項に記載の、セル再選択方法を実現する、プログラム。
【請求項１７】
請求項１６に記載のプログラムが記録されたコンピュータ読取可能な記録媒体。
【発明の詳細な説明】
【技術分野】
【０００１】
本発明は、出願番号が２０１６１１０２７８３９．Ｘであり、出願日が２０１６年１１月２１日である中国特許出願に基づき優先権を主張し、当該中国特許出願の全ての内容を本願に援用する。
【０００２】
本発明は、通信技術分野に関し、特にセル再選択方法、装置、プログラム、及び記録媒体に関する。 
【背景技術】
【０００３】
現在、セル再選択過程で、ネットワーク再選択パラメータの配置不正によるピンポン再選択という問題がよく発生し、例えば、端末がＡセルに存在している場合に、現在のセル再選択パラメータによって、Ｂセルを選択することが可能となり、端末がＢセルに存在している場合に、セル再選択パラメータによって、Ａセルを再度選択することが可能となり、このような、２つのセルの間で頻繁に往復して切り替える現象は、ピンポン再選択という。しかしながら、ピンポン再選択は、端末での待機電流が継続的に高すぎることを引き起こし、さらに端末の待機時間とユーザ体験に影響する。
【発明の概要】
【発明が解決しようとする課題】
【０００４】
本発明の実施例は、セル再選択方法、装置、プログラム、及び記録媒体を提供する。前記技術案は以下の通りである。 
【課題を解決するための手段】
【０００５】
本発明の実施例の第１の態様によれば、セル再選択方法が提供され、前記方法は、
現在のサービングセルに存在している場合に、隣接セルがセル再選択条件を満足するかを判断するステップと、
隣接セルがセル再選択条件を満足する場合に、前記隣接セルの対応するセル再選択情報を取得するステップと、
前記セル再選択情報が履歴ピンポン再選択記録とマッチするかを判断し、前記セル再選択情報は、現在のセル再選択時間を少なくとも含み、前記履歴ピンポン再選択記録は、各ピンポン再選択記録の対応する履歴セル再選択時間を少なくとも含むステップと、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断するステップと、
前記時間差が前記予め設定された時間差よりも大きい場合に、前記隣接セルに存在するように、前記隣接セルを前記現在のサービングセルとして再選択するステップと、を含む。
【０００６】
１つの実施例において、前記方法は、さらに、
前記隣接セルを前記現在のサービングセルとして再選択した後、前記予め設定された時間差を延長するステップと、
前記履歴ピンポン再選択記録を更新するように、前記セル再選択情報を前記履歴ピンポン再選択記録に記録するステップと、を含む。
【０００７】
１つの実施例において、前記現在のサービングセルに存在している場合に、隣接セルがセル再選択条件を満足するかを判断するステップは、
セル再選択パラメータを取得するステップと、
前記セル再選択パラメータによって、前記隣接セルが前記セル再選択条件を満足するかを判断するステップと、を含む。
【０００８】
１つの実施例において、前記セル再選択パラメータを取得するステップは、
前記現在のサービングセルの基地局により発行されたシステムメッセージを受信し、前記システムメッセージは、前記現在のサービングセルの再選択優先度、前記現在のサービングセルの最小アクセスレベル、前記隣接セルの再選択優先度、前記隣接セルの最小アクセスレベルの少なくとも１つを含むステップと、
及び／又は、
前記現在のサービングセル及び前記隣接セルの信号品質を測定し、前記信号品質は、現在の信号レベル、参照信号受信電力、参照信号受信品質の少なくとも１つを含むステップと、を含む。
【０００９】
１つの実施例において、前記セル再選択パラメータによって、前記隣接セルが前記セル再選択条件を満足するかを判断するステップは、
前記セル再選択パラメータが予め設定された条件を満足する場合に、前記隣接セルが前記セル再選択条件を満足することを判定し、前記予め設定された条件は、
前記隣接セルの現在の信号レベルが前記隣接セルの最小アクセスレベル以上であり、且つ前記隣接セルの再選択優先度が、前記現在のサービングセルの再選択優先度よりも高いこと、又は、
前記隣接セルの参照信号受信電力の対応する信号レベルが、前記隣接セルの最小アクセスレベル以上であり、且つ前記隣接セルの再選択優先度が、前記現在のサービングセルの再選択優先度よりも高いこと、又は、
前記現在のサービングセルの現在の信号レベルが、前記現在のサービングセルの最小アクセスレベルよりも小さく、且つ前記隣接セルの再選択優先度が、前記現在のサービングセルの再選択優先度よりも低いこと、を含む、ステップを含む。
【００１０】
１つの実施例において、前記セル再選択条件を満足する隣接セルが少なくとも２つ存在している場合に、前記隣接セルの対応するセル再選択情報を取得するステップは、
前記少なくとも２つの隣接セルのうちの各隣接セルの再選択優先度及び／又は前記各隣接セルの信号品質によって、前記少なくとも２つの隣接セルからターゲット隣接セルを確定するステップと、
前記ターゲット隣接セルの対応するセル再選択情報を取得するステップと、を含む。
【００１１】
１つの実施例において、前記セル再選択情報は、さらに、
前記現在のサービングセルの識別子、前記隣接セルの識別子、セル再選択理由の少なくとも１つを含む。
【００１２】
前記履歴ピンポン再選択記録は、さらに、
前記各ピンポン再選択記録の対応する元セルの識別子、前記各ピンポン再選択記録の対応するターゲットセルの識別子、前記各ピンポン再選択記録の対応するセル再選択理由の少なくとも１つを含む。
【００１３】
１つの実施例において、前記セル再選択情報が履歴ピンポン再選択記録とマッチするかを判断するステップは、
前記セル再選択情報と前記履歴ピンポン再選択記録のうちの何れか１つのピンポン再選択記録とが以下のマッチ条件を満足する場合に、前記セル再選択情報が前記何れか１つのピンポン再選択記録とマッチすることを確定し、前記マッチ条件は、
前記現在のサービングセルの識別子が前記何れか１つのピンポン再選択記録の対応する元セルの識別子とマッチすることと、
前記隣接セルの識別子が前記何れか１つのピンポン再選択記録の対応するターゲットセルの識別子とマッチすることと、
前記セル再選択理由が前記何れか１つのピンポン再選択記録の対応するセル再選択理由とマッチすることと、を含む、ステップを含む。
【００１４】
本発明の実施例の第２の態様によれば、セル再選択装置が提供され、前記装置は、
現在のサービングセルに存在している場合に、隣接セルがセル再選択条件を満足するかを判断するように構成される第１の判断モジュールと、
隣接セルがセル再選択条件を満足する場合に、前記隣接セルの対応するセル再選択情報を取得するように構成される取得モジュールと、
前記セル再選択情報が履歴ピンポン再選択記録とマッチするかを判断するように構成され、前記セル再選択情報は、現在のセル再選択時間を少なくとも含み、前記履歴ピンポン再選択記録は、各ピンポン再選択記録の対応する履歴セル再選択時間を少なくとも含む、第２の判断モジュールと、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断するように構成される第３の判断モジュールと、
前記時間差が前記予め設定された時間差よりも大きい場合に、前記隣接セルに存在するように、前記隣接セルを前記現在のサービングセルとして再選択するように構成される選択モジュールと、を備える。
【００１５】
１つの実施例において、前記装置は、さらに、
前記隣接セルを前記現在のサービングセルとして再選択した後、前記予め設定された時間差を延長するように構成される処理モジュールと、
前記履歴ピンポン再選択記録を更新するように、前記セル再選択情報を前記履歴ピンポン再選択記録に記録するように構成される記録モジュールと、を備える。
【００１６】
１つの実施例において、前記第１の判断モジュールは、
セル再選択パラメータを取得するように構成される第１の取得サブモジュールと、
前記セル再選択パラメータによって、前記隣接セルが前記セル再選択条件を満足するかを判断するように構成される判断サブモジュールと、を備える。
【００１７】
１つの実施例において、前記第１の取得サブモジュールは、
前記現在のサービングセルの基地局により発行されたシステムメッセージを受信するように構成され、前記システムメッセージは、前記現在のサービングセルの再選択優先度、前記現在のサービングセルの最小アクセスレベル、前記隣接セルの再選択優先度、前記隣接セルの最小アクセスレベルの少なくとも１つを含む、受信ユニットと、
及び／又は、
前記現在のサービングセル及び前記隣接セルの信号品質を測定するように構成され、前記信号品質は、現在の信号レベル、参照信号受信電力、参照信号受信品質の少なくとも１つを含む、測定ユニットと、を備える。
【００１８】
１つの実施例において、前記判断サブモジュールは、
前記セル再選択パラメータが予め設定された条件を満足する場合に、前記隣接セルが前記セル再選択条件を満足することを判定するように構成され、前記予め設定された条件は、
前記隣接セルの現在の信号レベルが前記隣接セルの最小アクセスレベル以上であり、且つ前記隣接セルの再選択優先度が、前記現在のサービングセルの再選択優先度よりも高いこと、又は、
前記隣接セルの参照信号受信電力の対応する信号レベルが、前記隣接セルの最小アクセスレベル以上であり、且つ前記隣接セルの再選択優先度が、前記現在のサービングセルの再選択優先度よりも高いこと、又は
前記現在のサービングセルの現在の信号レベルが、前記現在のサービングセルの最小アクセスレベルよりも小さく、且つ前記隣接セルの再選択優先度が、前記現在のサービングセルの再選択優先度よりも低いこと、を含む、判定ユニットを備える。
【００１９】
１つの実施例において、前記取得モジュールは、
前記セル再選択条件を満足する隣接セルが少なくとも２つ存在している場合に、前記少なくとも２つの隣接セルのうちの各隣接セルの再選択優先度及び／又は前記各隣接セルの信号品質によって、前記少なくとも２つの隣接セルからターゲット隣接セルを確定するように構成される第１の確定サブモジュールと、
前記ターゲット隣接セルの対応するセル再選択情報を取得するように構成される第２の取得サブモジュールと、を備える。
【００２０】
１つの実施例において、前記セル再選択情報は、さらに、
前記現在のサービングセルの識別子、前記隣接セルの識別子、セル再選択理由の少なくとも１つを含む。
【００２１】
前記履歴ピンポン再選択記録は、さらに、
前記各ピンポン再選択記録の対応する元セルの識別子、前記各ピンポン再選択記録の対応するターゲットセルの識別子、前記各ピンポン再選択記録の対応するセル再選択理由の少なくとも１つを含む。
【００２２】
１つの実施例において、前記第２の判断モジュールは、
前記セル再選択情報と前記履歴ピンポン再選択記録のうちの何れか１つのピンポン再選択記録とが、以下のマッチ条件を満足する場合に、前記セル再選択情報が前記何れか１つのピンポン再選択記録とマッチすることを確定するように構成され、前記マッチ条件は、
前記現在のサービングセルの識別子が前記何れか１つのピンポン再選択記録の対応する元セルの識別子とマッチすることと、
前記隣接セルの識別子が前記何れか１つのピンポン再選択記録の対応するターゲットセルの識別子とマッチすることと、
前記セル再選択理由が前記何れか１つのピンポン再選択記録の対応するセル再選択理由とマッチすることと、を含む、第２の確定サブモジュールを備える。
【００２３】
本発明の実施例の第３の態様によれば、セル再選択装置が提供され、前記装置は、
プロセッサーと  
プロセッサーにより実行可能な命令を記憶するための、メモリとを備え、
前記プロセッサーは、
現在のサービングセルに存在している場合に、隣接セルがセル再選択条件を満足するかを判断し、
前記隣接セルが前記セル再選択条件を満足する場合に、前記隣接セルの対応するセル再選択情報を取得し、
前記セル再選択情報が履歴ピンポン再選択記録とマッチするかを判断し、前記セル再選択情報は、現在のセル再選択時間を少なくとも含み、前記履歴ピンポン再選択記録は、各ピンポン再選択記録の対応する履歴セル再選択時間を含み、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断し、
前記時間差が前記予め設定された時間差よりも大きい場合に、前記隣接セルに存在するように、前記隣接セルを前記現在のサービングセルとして再選択するように構成される。
本発明の実施例の第４の態様によれば、プロセッサーに実行されることにより、上記方法を実現する、プログラムを提供する。
本発明の実施例の第５の態様によれば、上記プログラムが記録されたコンピュータ読取可能な記録媒体を提供する。
【発明の効果】
【００２４】
本発明の実施例に提供される技術案は、下記の有益な効果を奏することができる。
【００２５】
本発明の実施例により提供される技術案は、隣接セルがセル再選択条件を満足する場合に、隣接セルの対応するセル再選択情報を取得することにより、隣接セルの対応するセル再選択情報が予め記録された履歴ピンポン再選択記録と、マッチするかを判断し、該セル再選択情報が、何れか１つのピンポン再選択記録と、マッチする場合に、該隣接セルを再選択すれば、ピンポン再選択を引き起こすおそれがあることを意味し、このため、さらに現在のセル再選択時間と該何れか１つのピンポン再選択記録の対応する履歴セル再選択時間との時間差が予め設定された時間差よりも大きいかを判断する必要があり、予め設定された時間差よりも大きい場合に、今回はピンポン再選択であっても、前のピンポン再選択時間からも長く離れ、頻繁にピンポン再選択することではなく、電力が過度に消費されることがないことを意味し、従って、該隣接セルを、隣接セルに存在してユーザにサービスを提供するように、現在のサービングセルとして再選択することを許容することができ、このような、セル再選択情報が履歴ピンポン再選択記録とマッチするかを判断し、及びセル再選択時間差を比較することで、セルピンポン再選択の頻度を効果的に減少し、ピンポン再選択による端末の電力消費を低減することができ、ある程度で待機時間を延長させ、端末でユーザの使用体験を向上させることができる。
【００２６】
なお、前記一般的な記載及び後述の詳細な記載は、単なる例示的で解釈的な記載であり、本発明を限定しない。
【図面の簡単な説明】
【００２７】
ここの図面は、明細書に組み入れて本明細書の一部分を構成し、本発明に該当する実施例を例示するとともに、明細書とともに本発明の原理を解釈することに用いられる。
【００２８】
【図１】例示的な一実施例に係るセル再選択方法のフローチャートである。
【図２】例示的な一実施例に係る他のセル再選択方法のフローチャートである。
【図３】例示的な一実施例に係る他のセル再選択方法のフローチャートである。
【図４】例示的な一実施例に係るセル再選択装置のブロック図である。
【図５】例示的な一実施例に係る他のセル再選択装置のブロック図である。
【図６】例示的な一実施例に係る他のセル再選択装置のブロック図である。
【図７】例示的な一実施例に係る他のセル再選択装置のブロック図である。
【図８】例示的な一実施例に係る他のセル再選択装置のブロック図である。
【図９】例示的な一実施例に係るセル再選択装置に好適なブロック図である。
【発明を実施するための形態】
【００２９】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明とマッチする全ての実施例を代表するものではない。それらは、特許請求の範囲に記載の本発明のある側面にマッチする装置及び方法の例に過ぎない。
【００３０】
目前、セル再選択過程で、ネットワーク再選択パラメータの配置不正によるピンポン再選択という問題がよく発生し、例えば、端末がＡセルに存在している場合に、現在のセル再選択パラメータによって、Ｂセルを選択することが可能となり、端末がＢセルに存在している場合に、セル再選択パラメータによって、Ａセルを再度選択することが可能となり、このような、２つのセルの間で頻繁に往復して切り替える現象は、ピンポン再選択という。しかしながら、ピンポン再選択は、端末での待機電流が継続的に高すぎることを引き起こし、さらに端末の待機時間とユーザ体験に影響する。
【００３１】
上述の技術的問題を解決するために、本発明の実施例は、セル再選択方法を提供し、当該方法は、セル再選択プログラム、システム又は装置に適用することができ、且つ当該方法の対応する実行主体は、携帯電話等の端末であることができる。
【００３２】
図１は、例示的な一実施例に係るセル再選択方法のフローチャートである。
【００３３】
図１に示すように、当該方法は、ステップＳ１０１〜ステップＳ１０５を含む。
【００３４】
ステップＳ１０１において、現在のサービングセルに存在している場合に、隣接セルがセル再選択条件を満足するかを判断する。
【００３５】
隣接セルは、１つまたは複数であることができ（例えば、セルラー・ネットワークの場合は６つであることが可能となる）、セル再選択条件を満足する隣接セルは、１つまたは複数であることができる。
【００３６】
ステップＳ１０２において、隣接セルがセル再選択条件を満足する場合に、隣接セルの対応するセル再選択情報を取得する。
【００３７】
ステップＳ１０３において、セル再選択情報が履歴ピンポン再選択記録とマッチするかを判断し、セル再選択情報は、現在のセル再選択時間を少なくとも含み、履歴ピンポン再選択記録は、各ピンポン再選択記録の対応する履歴セル再選択時間を少なくとも含む。
【００３８】
履歴ピンポン再選択記録のうちのピンポン再選択記録の数は、１つまたは複数であることができ、履歴ピンポン再選択記録は、各ピンポン再選択記録の対応する履歴セル再選択時間だけでなく、各ピンポン再選択記録の対応する再選択前の元セルの識別子及び再選択後のターゲットセルの識別子や再選択理由等も含むことができ、セル再選択情報も、当然これらの情報を含むことができる。
【００３９】
ステップＳ１０４において、セル再選択情報が、履歴ピンポン再選択記録のうちの何れか１つのピンポン再選択記録とマッチする場合に、現在のセル再選択時間と何れか１つのピンポン再選択記録の対応する履歴セル再選択時間との時間差が、予め設定された時間差よりも大きいかを判断する。
【００４０】
当該セル再選択情報が、何れか１つのピンポン再選択記録とマッチする場合に、隣接セルを再選択すれば、ピンポン再選択を引き起こすおそれがあることを意味し、即ち、隣接セルを再選択すれば、何れか１つのピンポン再選択記録のうちの２回目のセル再選択と、ピンポン再選択を構成することが可能となり、または、隣接セルを再選択すれば、当該何れか１つのピンポン再選択記録によって、隣接セルを再選択した後、この前の現在のサービングセルを再選択することが可能となり、これによりピンポン再選択を引き起こし、例えば、当該何れか１つのピンポン再選択記録が、ＡセルからＢセルを再選択し（当該何れか１つのピンポン再選択記録のうちの１回目のセル再選択）、さらにＢセルからＡセルを再選択（当該何れか１つのピンポン再選択記録のうちの２回目のセル再選択）するものであり、現在のサービングセルもＡセルであり、隣接セルＢがセル再選択条件を満足し、且つ隣接セルＢの対応するセル再選択情報が当該ピンポン再選択記録とマッチする場合に、Ｂセルを再選択した後、ＢセルからＡセルを再選択というセル再選択と、ピンポン再選択を構成することが可能となり、又は、当該何れか１つのピンポン再選択記録によって、端末は、Ｂセルを再選択した後、Ａセルを再度再選択することが可能となり、これによりピンポン再選択を引き起こす。
【００４１】
当然、ピンポン再選択の判断結果がより正確になるように、履歴ピンポン再選択記録として最近数回の再選択記録を選択すべきであり、例えば、最近１回の再選択記録を比較対象として選択することができ、このようにして、上述のピンポン再選択記録がＡセルからＢセルを再選択しさらにＢセルからＡセルを再選択するものであると共に、端末のＡセルに新たに存在する時間と、ステップＳ１０１を実行するときに端末の現在のサービングセルに存在する時間とが、連続的であり、且つ両者がマッチする場合に、ＡセルからＢセルを再選択した後、当該ピンポン再選択記録のうちの２回目のセル再選択（即ち、ＢセルからＡセルを再選択する）と既にピンポン再選択を構成している。
【００４２】
更に、履歴ピンポン再選択記録は、複数種の異なるピンポン再選択記録を含むことができるが、履歴ピンポン再選択記録に含まれるピンポン再選択記録の種類の数にも関わらず、上述の履歴ピンポン再選択記録は、ＡセルからＢセルを再選択し、更にＢセルからＡセルを再選択するようなピンポン再選択記録を含むことができ、ＣセルからＤセルを再選択し、更にＤセルからＣセルを再選択するようなピンポン再選択記録等を含むことができる。
【００４３】
最後に、当該予め設定された時間差は、セルピンポン再選択過程での最短のピンポン再選択時間間隔であることができ、例えば、ピンポン再選択過程がＡセル-Ｂセル-Ａセルである場合に、当該予め設定された時間差は、Ａセルに存在してから、ＡセルからＢセルに切替し、更にＢセルからＡセルに切替する、ようなピンポン再選択過程での最短の時間等であることができ、又は、
当該予め設定された時間差は、パーソナライズに設定されてもよい。
【００４４】
当然、当該予め設定された時間差は、増大し続けることができる。
【００４５】
ステップＳ１０５において、時間差が予め設定された時間差よりも大きい場合に、隣接セルに存在するように、隣接セルを現在のサービングセルとして再選択する。
【００４６】
隣接セルがセル再選択条件を満足する場合に、隣接セルの対応するセル再選択情報を取得することにより、隣接セルの対応するセル再選択情報が、予め記録された履歴ピンポン再選択記録とマッチするかを判断することができる。当該セル再選択情報が何れか１つのピンポン再選択記録とマッチする場合に、当該隣接セルを再選択すれば、ピンポン再選択を引き起こすおそれがあることを意味し、このため、さらに現在のセル再選択時間と当該何れか１つのピンポン再選択記録の対応する履歴セル再選択時間との時間差が、予め設定された時間差よりも大きいかを判断する必要がある。予め設定された時間差よりも大きい場合に、今回はピンポン再選択であっても、前のピンポン再選択からも長い時間が経ったから、頻繁にピンポン再選択することではなく、電力が過度に消費されることはないことを意味し、従って、当該隣接セルを、隣接セルに存在してユーザにサービスを提供するように、現在のサービングセルとして再選択することを許可できる。このように、セル再選択情報が履歴ピンポン再選択記録とマッチするかを判断し、及びセル再選択時間差を比較することで、セルピンポン再選択の頻度を効果的に減少し、ピンポン再選択による端末の電力消費を低減することができ、ある程度に待機時間を延長させ、端末でユーザの使用体験を向上させることができる。
【００４７】
さらに、当該時間差が予め設定された時間差以下である場合に、以上分析したように、隣接セルを現在のサービングセルとして再選択すれば、さらに今回の再選択セルと、当該何れか１つのピンポン再選択記録における２回目のセル再選択とが、短時間内のピンポン再選択を構成する可能性が高く、又は、当該何れか１つのピンポン再選択記録によって、隣接セルを再選択した後、端末がこの前の現在のサービングセルを再選択することにより、短時間内にピンポン再選択が繰り返されることが起こる可能性が高く、さらに、電力が過度に消費され、このため、端末が現在のサービングセルに存在し続くように、しばらく隣接セルを再選択しないこともできる。
【００４８】
最後に、本実施例は、絶えず実行してもよく、一定の時間周期で実行してもよい。
【００４９】
図２は、例示的な一実施例に係る他のセル再選択方法を示すフローチャートである。
【００５０】
図２に示すように、１つの実施例において、上述の図１に示す方法は、ステップＳ２０１及びステップＳ２０２をさらに含むことができる。
【００５１】
ステップＳ２０１において、隣接セルを現在のサービングセルとして再選択した後、予め設定された時間差を延長する。
【００５２】
ステップＳ２０２において、履歴ピンポン再選択記録を更新するように、セル再選択情報を履歴ピンポン再選択記録に記録する。
【００５３】
隣接セルを現在のサービングセルとして再選択した後、当該予め設定された時間差を延長することにより、短時間内にセルピンポン再選択を繰り返すことをさらに回避することができ、例えば、毎回ステップＳ１０１〜ステップＳ１０４を実行した後、当該時間差が予め設定された時間差よりも大きいと判定する場合に、当該予め設定された時間差を元の２倍又は３倍等の大きさに増大することができる。
【００５４】
セル再選択情報を履歴ピンポン再選択記録に記録した後、履歴ピンポン再選択記録がさらに豊富で全面的なものになるように、履歴ピンポン再選択記録を更新することができ、これにより、その後、更なる豊富で全面的な履歴ピンポン再選択記録によってセル再選択情報の対応するセル再選択がピンポン再選択であるかを判断することを容易にする。
【００５５】
図３は、例示的な一実施例に係る他のセル再選択方法を示すフローチャートである。
【００５６】
図３に示すように、１つの実施例において、上述の図１におけるステップＳ１０１は、ステップＡ１及びステップＡ２を含むことができる。
【００５７】
ステップＡ１において、セル再選択パラメータを取得する。
【００５８】
ステップＡ２において、セル再選択パラメータによって、隣接セルがセル再選択条件を満足するかを判断する。
【００５９】
隣接セルがセル再選択条件を満足するかを判断する場合に、セル再選択パラメータを自動的に取得することができ、さらに、セル再選択パラメータにおよって、当該隣接セルがセル再選択条件を満足するかを判断する。
【００６０】
１つの実施例において、上述の図３に示すステップＡ１は、以下のように実行されてもよい。
【００６１】
現在のサービングセルの基地局により発行されたシステムメッセージを受信し、システムメッセージは、現在のサービングセルの再選択優先度、現在のサービングセルの最小アクセスレベル、隣接セルの再選択優先度、隣接セルの最小アクセスレベルの少なくとも１つを含み、異なるセルの最小アクセスレベルが異なる可能性がある。
【００６２】
現在のサービングセルの再選択優先度及び現在のサービングセルの最小アクセスレベルは、現在のサービングセルの基地局により発行されたシステムメッセージにおけるメッセージ３に含まれてもよく、隣接セルの再選択優先度及び隣接セルの最小アクセスレベルは、現在のサービングセルの基地局により発行されたシステムメッセージにおけるメッセージ５に含まれてもよい。
【００６３】
最小アクセスレベルの役割としては、以下のことがあげられる。受信信号レベルが非常に低い場合に移動局がシステムに接続され（接続後の通信品質は、通常に正常の通信過程を保証することができない）、ユーザが満足する通信品質を提供できなく、且つネットワークの無線リソースを無駄にすることを回避するために、ＧＳＭシステムにおいて、移動局のネットワークへの接続が必要な場合に、その受信レベルは、あるスレッシュレベル、即ち、移動局の接続を許可する最小受信レベルよりも大きい必要があると規定される。
【００６４】
及び／又は、
現在のサービングセル及び隣接セルの信号品質を測定し、信号品質は、現在の信号レベル、参照信号受信電力（ＲＳＲＰ、Ｒｅｆｅｒｅｎｃｅ  Ｓｉｇｎａｌ  Ｒｅｃｅｉｖｉｎｇ  Ｐｏｗｅｒ）、参照信号受信品質（ＲＳＲＱ、Ｒｅｆｅｒｅｎｃｅ  Ｓｉｇｎａｌ  Ｒｅｃｅｉｖｉｎｇ  Ｑｕａｌｉｔｙ）の少なくとも１つを含む。
【００６５】
現在のサービングセルの信号品質を測定する場合に、現在のサービングセルの基地局により発行されたページングメッセージ又はネットワーク信号等によって測定することができ、同様に、隣接セルの信号品質を測定する場合に、このような方式により測定することができる。
【００６６】
１つの実施例において、上述の図３に示すステップＡ２は、以下のように実行されてもよい。
【００６７】
セル再選択パラメータが予め設定された条件を満足する場合に、隣接セルがセル再選択条件を満足することを判定し、予め設定された条件は、
隣接セルの現在の信号レベルが、隣接セルの最小アクセスレベル以上であり、且つ隣接セルの再選択優先度が、現在のサービングセルの再選択優先度よりも高いこと、又は、
隣接セルの参照信号受信電力の対応する信号レベルが、隣接セルの最小アクセスレベル以上であり、且つ隣接セルの再選択優先度が現在のサービングセルの再選択優先度よりも高いこと、を含み、
測定された隣接セルの現在の信号レベルが、隣接セルの最小アクセスレベル以上であり、又は隣接セルの参照信号受信電力の対応する信号レベルが、隣接セルの最小アクセスレベル以上である場合に、端末が隣接セルに存在すれば、通信品質が良好であることを意味し、従って、隣接セルが初歩的な再選択資格を既に備えるので、隣接セルの再選択優先度が現在のサービングセルの再選択優先度よりも高い場合に、さらに、端末は、現在のサービングセルよりも隣接セルに好適に存在し、従って、隣接セルがセル再選択条件を満足することを確定することができる。
【００６８】
又は、
現在のサービングセルの現在の信号レベルが、現在のサービングセルの最小アクセスレベルよりも小さく、且つ隣接セルの再選択優先度が現在のサービングセルの再選択優先度よりも低い。
【００６９】
現在のサービングセルの現在の信号レベルが、現在のサービングセルの最小アクセスレベルよりも小さい場合に、端末が現在のサービングセルに存在し続ければ、その通信品質の不良を引き起こしてユーザの通信要求を満足することができなく、従って、隣接セルの再選択優先度が、現在のサービングセルの再選択優先度よりも低くても、端末が隣接セルに存在することは、それが現在のサービングセルに存在することよりも好適であり、従って、隣接セルがセル再選択条件を満足することを判定することができ、当然、この場合に、隣接セルの現在の信号レベルも、隣接セルの最小アクセスレベル以上とすべきである。
【００７０】
なお、予め設定された条件は、上述の条件を含んでもよいが、それらに限らなく、例えば、隣接セルの再選択優先度が予め設定された再選択優先度よりも高いこと、隣接セルの現在の信号レベルが予め設定された信号レベルよりも大きいこと、隣接セルの信号品質が予め設定された信号品質よりも大きいこと等を含んでもよい。
【００７１】
１つの実施例において、セル再選択条件を満足する隣接セルが少なくとも２つ存在する場合に、上述の図１に示すステップＳ１０２における「隣接セルの対応するセル再選択情報を取得する」ステップは、
少なくとも２つの隣接セルのうちの各隣接セルの再選択優先度及び／又は各隣接セルの信号品質によって、少なくとも２つの隣接セルからターゲット隣接セルを確定するステップと、
ターゲット隣接セルを確定する場合に、少なくとも２つの隣接セルから、再選択優先度が比較的に高く、及び／又は信号品質が比較的に良い隣接セルをターゲット隣接セルとして選択するステップと、
ターゲット隣接セルの対応するセル再選択情報を取得するステップと、を含むことができる。
【００７２】
セル再選択条件を満足する隣接セルが少なくとも２つ存在する場合に、少なくとも２つの隣接セルのうちの各隣接セルの再選択優先度及び／又は各隣接セルの信号品質によって、少なくとも２つの隣接セルからターゲット隣接セルを自動的に確定し、さらにターゲット隣接セルの対応するセル再選択情報を取得し、その後、更なる判断を行うことにより、短期間内にピンポン再選択を繰り返すことを回避することができる。
【００７３】
１つの実施例において、セル再選択情報は、さらに、
現在のサービングセルの識別子、隣接セルの識別子、セル再選択理由の少なくとも１つを含むことができ、
現在のサービングセルの識別子は、現在のサービングセルのＩＤ（即ち、セル識別符号）及びお周波数ビンであることができ、隣接セルの識別子は、隣接セルのＩＤ（即ち、セル識別符号）及び周波数ビンであることができ、セル再選択理由は、セル再選択優先度が比較的に低いことや、セル最小アクセスレベルが比較的に高いことや、セル信号の品質不良等であってもよい。
【００７４】
履歴ピンポン再選択記録は、さらに、
各ピンポン再選択記録の対応する元セルの識別子、各ピンポン再選択記録の対応するターゲットセルの識別子、各ピンポン再選択記録の対応するセル再選択理由の少なくとも１つを含み、各ピンポン再選択記録における上述の情報は、表形式で記録されてもよい。
【００７５】
各ピンポン再選択記録の対応する元セルの識別子は、各ピンポン再選択記録に記録された１回目のセル再選択前の端末が存在したセルの識別子であり、各ピンポン再選択記録の対応するターゲットセルの識別子は、各ピンポン再選択記録に記録された１回目のセル再選択後の端末が存在したセルの識別子である。
【００７６】
例えば、あるピンポン再選択記録が、ＡセルからＢセルを再選択し、さらにＢセルからＡセルを再選択することである場合に、当該ピンポン再選択記録において、１回目のセル再選択前に、端末がＡセルに存在し、従って、当該ピンポン再選択記録の対応する元セルの識別子はＡセルの識別子であり、１回目のセル再選択後、端末がＢセルに存在し、従って、当該ピンポン再選択記録の対応するターゲットセルの識別子は、Ｂセルの識別子であり、当該ピンポン再選択記録の対応するセル再選択理由は、ＡセルからＢセルを再選択する理由（当然、ピンポン再選択時、２回のセルの再選択理由は、基本的に同一であるため、当該ピンポン再選択記録の対応するセル再選択理由は、ＢセルからＡセルを再選択する理由であってもよい）であり、当該ピンポン再選択記録の対応する履歴セル再選択時間は、ＡセルからＢセルまで切り換える時間である。
【００７７】
１つの実施例において、上述の図１に示すステップＳ１０３は、以下のように実行されてもよい。
【００７８】
セル再選択情報と履歴ピンポン再選択記録のうちの何れか１つのピンポン再選択記録とが、以下のマッチ条件を満足する場合に、セル再選択情報が何れか１つのピンポン再選択記録とマッチすることを確定し、マッチ条件は、以下のことを含む。
【００７９】
現在のサービングセルの識別子が何れか１つのピンポン再選択記録の対応する元セルの識別子とマッチし、
現在のサービングセルの識別子が何れか１つのピンポン再選択記録の対応する元セルの識別子とマッチすることは、現在のサービングセルの識別子が何れか１つのピンポン再選択記録の対応する元セルの識別子と同一であり、即ち、現在のサービングセルのＩＤ（即ち、セル識別符号）及び周波数ビンは、それぞれ、当該何れか１つのピンポン再選択記録の対応する元セルのＩＤ及び周波数ビンと同一であること、を含むことができる。
【００８０】
隣接セルの識別子が何れか１つのピンポン再選択記録の対応するターゲットセルの識別子とマッチし、
隣接セルの識別子が、何れか１つのピンポン再選択記録の対応するターゲットセルの識別子とマッチすることは、隣接セルの識別子が何れか１つのピンポン再選択記録の対応するターゲットセルの識別子と同じであり、即ち、隣接セルのＩＤ（即ち、セル識別符号）及び周波数ビンは、それぞれ、当該何れか１つのピンポン再選択記録の対応するターゲットセルのＩＤ及び周波数ビンと同一であること、を含むことができる。
【００８１】
セル再選択理由が何れか１つのピンポン再選択記録の対応するセル再選択理由とマッチし、セル再選択理由が何れか１つのピンポン再選択記録の対応するセル再選択理由とマッチすることは、セル再選択理由が何れか１つのピンポン再選択記録の対応するセル再選択理由と同一であることができる。
【００８２】
例えば、あるピンポン再選択記録がＣセルからＤセルを再選択し、さらにＤセルからＣセルを再選択することであり、Ｃセルの対応する識別子のＩＤ号がＭであり、周波数ビンがＮであり、Ｄセルの対応する識別子のＩＤ号がＰであり、周波数ビンがＱであり、且つ当該ピンポン再選択記録の対応するセル再選択理由が現在のセル再選択優先度が比較的に低いことである場合に、先ず、当該ピンポン再選択記録の対応する元セルがＣセルであり、ターゲットセルがＤセルであることを意味し、従って、現在のサービングセルが、ＩＤ号がＭであり、周波数ビンがＮであるＣセルであり、隣接セルが、ＩＤ号がＰであり、周波数ビンがＱであるＤセルであり、且つセル再選択理由が、Ｃセルの再選択優先度が比較的に低いことである場合に、端末が現在存在しているＣセルの対応するセル再選択情報が、当該ピンポン再選択記録とマッチすることを意味する。
【００８３】
本発明の実施例により提供される上述のセル再選択方法に対して、本発明の実施例は、さらにセル再選択装置を提供する。
【００８４】
図４は、例示的な一実施例に係るセル再選択装置を示すブロック図である。
【００８５】
図４に示すように、当該装置は、第１の判断モジュール４０１と、取得モジュール４０２と、第２の判断モジュール４０３と、第３の判断モジュール４０４と、選択モジュール４０５とを備える。
【００８６】
第１の判断モジュール４０１は、現在のサービングセルに存在している場合に、隣接セルがセル再選択条件を満足するかを判断するように構成される。
【００８７】
取得モジュール４０２は、隣接セルがセル再選択条件を満足する場合に、隣接セルの対応するセル再選択情報を取得するように構成される。
【００８８】
第２の判断モジュール４０３は、セル再選択情報が履歴ピンポン再選択記録とマッチするかを判断するように構成され、セル再選択情報は、現在のセル再選択時間を少なくとも含み、履歴ピンポン再選択記録は、各ピンポン再選択記録の対応する履歴セル再選択時間を少なくとも含む。
【００８９】
第３の判断モジュール４０４は、セル再選択情報が履歴ピンポン再選択記録の何れか１つのピンポン再選択記録とマッチする場合に、現在のセル再選択時間と何れか１つのピンポン再選択記録の対応する履歴セル再選択時間との時間差が、予め設定された時間差よりも大きいかを判断するように構成される。
【００９０】
選択モジュール４０５は、時間差が予め設定された時間差よりも大きい場合に、隣接セルに存在するように、隣接セルを現在のサービングセルとして再選択するように構成される。
【００９１】
図５は、例示的な一実施例に係る他のセル再選択装置を示すブロック図である。
【００９２】
図５に示すように、１つの実施例において、上述の図４に示す装置は、さらに処理モジュール５０１及び記録モジュール５０２を含むことができる。
【００９３】
処理モジュール５０１は、隣接セルを現在のサービングセルとして再選択した後、予め設定された時間差を延長するように構成される。
【００９４】
記録モジュール５０２は、履歴ピンポン再選択記録を更新するように、セル再選択情報を履歴ピンポン再選択記録に記録するように構成される。
【００９５】
図６は、例示的な一実施例に係る他のセル再選択装置を示すブロック図である。
【００９６】
図６に示すように、１つの実施例において、上述の図４に示す第１の判断モジュール４０１は、第１の取得サブモジュール４０１１及び判断サブモジュール４０１２を含むことができる。
【００９７】
第１の取得サブモジュール４０１１は、セル再選択パラメータを取得するように構成される。
【００９８】
判断サブモジュール４０１２は、セル再選択パラメータによって、隣接セルがセル再選択条件を満足するかを判断するように構成される。
【００９９】
１つの実施例において、第１の取得サブモジュール４０１１は、受信ユニット及び／又は測定ユニットを備えることができる。
【０１００】
受信ユニットは、現在のサービングセルの基地局により発行されたシステムメッセージを受信するように構成され、システムメッセージは、現在のサービングセルの再選択優先度、現在のサービングセルの最小アクセスレベル、隣接セルの再選択優先度、隣接セルの最小アクセスレベルの少なくとも１つを含む。
【０１０１】
及び／又は、
測定ユニットは、現在のサービングセル及び隣接セルの信号品質を測定するように構成され、信号品質は、現在の信号レベル、参照信号受信電力、参照信号受信品質の少なくとも１つを含む。
【０１０２】
１つの実施例において、判断サブモジュール４０１２は、判定ユニットを備えることができる。
【０１０３】
判定ユニットは、セル再選択パラメータが予め設定された条件を満足する場合に、隣接セルがセル再選択条件を満足することを判定するように構成され、予め設定された条件は、
隣接セルの現在の信号レベルが隣接セルの最小アクセスレベル以上であり、且つ隣接セルの再選択優先度が現在のサービングセルの再選択優先度よりも高いこと、又は
隣接セルの参照信号受信電力の対応する信号レベルが隣接セルの最小アクセスレベル以上であり、且つ隣接セルの再選択優先度が現在のサービングセルの再選択優先度よりも高いこと、又は、
現在のサービングセルの現在の信号レベルが現在のサービングセルの最小アクセスレベルよりも小さく、且つ隣接セルの再選択優先度が現在のサービングセルの再選択優先度よりも低いこと、を含む。
【０１０４】
図７は、例示的な一実施例に係る他のセル再選択装置を示すブロック図である。
【０１０５】
図７に示すように、１つの実施例において、上述の図６に示す取得モジュール４０２は、第１の確定サブモジュール４０２１及び第２の取得サブモジュール４０２２を備えることができる。
【０１０６】
第１の確定サブモジュール４０２１は、セル再選択条件を満足する隣接セルが少なくとも２つ存在する場合に、少なくとも２つの隣接セルのうちの各隣接セルの再選択優先度及び／又は各隣接セルの信号品質によって、少なくとも２つの隣接セルからターゲット隣接セルを確定するように構成される。
【０１０７】
第２の取得サブモジュール４０２２は、ターゲット隣接セルの対応するセル再選択情報を取得するように構成される。
【０１０８】
１つの実施例において、セル再選択情報は、さらに、
現在のサービングセルの識別子、隣接セルの識別子、セル再選択理由の少なくとも１つを含む。
【０１０９】
履歴ピンポン再選択記録は、さらに、
各ピンポン再選択記録の対応する元セルの識別子、各ピンポン再選択記録の対応するターゲットセルの識別子、各ピンポン再選択記録の対応するセル再選択理由の少なくとも１つを含む。
【０１１０】
図８は、例示的な一実施例に係る他のセル再選択装置を示すブロック図である。
【０１１１】
図８に示すように、１つの実施例において、上述の図４に示す第２の判断モジュール４０３は、第２の確定サブモジュール４０３１を備えることができる。
【０１１２】
第２の確定サブモジュール４０３１は、セル再選択情報と履歴ピンポン再選択記録のうちの何れか１つのピンポン再選択記録とが、以下のマッチ条件を満足する場合に、セル再選択情報が何れか１つのピンポン再選択記録とマッチすることを確定するように構成され、マッチ条件は、
現在のサービングセルの識別子が何れか１つのピンポン再選択記録の対応する元セルの識別子とマッチすることと、
隣接セルの識別子が何れか１つのピンポン再選択記録の対応するターゲットセルの識別子とマッチすることと、
セル再選択理由が何れか１つのピンポン再選択記録の対応するセル再選択理由とマッチすることと、を含む。
【０１１３】
本発明の実施例の第３の態様によれば、セル再選択装置が提供され、前記装置は、
プロセッサーと、
プロセッサーにより実行可能な命令を記憶するための、メモリとを備え、
プロセッサーは、
現在のサービングセルに存在する場合に、隣接セルがセル再選択条件を満足するかを判断し、
前記隣接セルが前記セル再選択条件を満足する場合に、前記隣接セルの対応するセル再選択情報を取得し、
前記セル再選択情報が履歴ピンポン再選択記録とマッチするかを判断し、前記セル再選択情報は、現在のセル再選択時間を少なくとも含み、前記履歴ピンポン再選択記録は、各ピンポン再選択記録の対応する履歴セル再選択時間を含み、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断し、
前記時間差が前記予め設定された時間差よりも大きい場合に、前記隣接セルに存在するように、前記隣接セルを前記現在のサービングセルとして再選択するように構成される。
【０１１４】
上述のプロセッサーは、さらに以下のように構成されてもよい。
【０１１５】
前記方法は、
前記隣接セルを前記現在のサービングセルとして再選択した後、前記予め設定された時間差を延長するステップと、
前記履歴ピンポン再選択記録を更新するように、前記セル再選択情報を前記履歴ピンポン再選択記録に記録するステップと、を含む。
【０１１６】
１つの実施例において、前記現在のサービングセルに存在する場合に、隣接セルがセル再選択条件を満足するかを判断するステップは、
セル再選択パラメータを取得するステップと、
前記セル再選択パラメータによって、前記隣接セルが前記セル再選択条件を満足するかを判断するステップと、を含む。
【０１１７】
上述のプロセッサーは、さらに以下のように構成されてもよい。
【０１１８】
前記セル再選択パラメータを取得するステップは、
前記現在のサービングセルの基地局により発行されたシステムメッセージを受信し、前記システムメッセージは、前記現在のサービングセルの再選択優先度、前記現在のサービングセルの最小アクセスレベル、前記隣接セルの再選択優先度、前記隣接セルの最小アクセスレベルの少なくとも１つを含む、ステップ、
及び／又は、
前記現在のサービングセル及び前記隣接セルの信号品質を測定し、前記信号品質は、現在の信号レベル、参照信号受信電力、参照信号受信品質の少なくとも１つを含むステップを含む。
【０１１９】
上述のプロセッサーは、さらに以下のように構成されてもよい。
【０１２０】
前記セル再選択パラメータによって、前記隣接セルが前記セル再選択条件を満足するかを判断するステップは、
前記セル再選択パラメータが予め設定された条件を満足する場合に、前記隣接セルが前記セル再選択条件を満足することを判定し、前記予め設定された条件は、
前記隣接セルの現在の信号レベルが前記隣接セルの最小アクセスレベル以上であり、且つ前記隣接セルの再選択優先度が、前記現在のサービングセルの再選択優先度よりも高いこと、又は
前記隣接セルの参照信号受信電力の対応する信号レベルが、前記隣接セルの最小アクセスレベル以上であり、且つ前記隣接セルの再選択優先度が、前記現在のサービングセルの再選択優先度よりも高いこと、又は、
前記現在のサービングセルの現在の信号レベルが、前記現在のサービングセルの最小アクセスレベルよりも小さく、且つ前記隣接セルの再選択優先度が、前記現在のサービングセルの再選択優先度よりも低いこと、を含む、ステップを含む。
【０１２１】
１つの実施例において、前記セル再選択条件を満足する隣接セルが少なくとも２つ存在する場合に、前記隣接セルの対応するセル再選択情報を取得するステップは、
前記少なくとも２つの隣接セルのうちの各隣接セルの再選択優先度及び／又は前記各隣接セルの信号品質によって、前記少なくとも２つの隣接セルからターゲット隣接セルを確定するステップと、
前記ターゲット隣接セルの対応するセル再選択情報を取得するステップと、を含む。
【０１２２】
上述のプロセッサーは、さらに以下のように構成されてもよい。
【０１２３】
前記セル再選択情報は、さらに、
前記現在のサービングセルの識別子、前記隣接セルの識別子、セル再選択理由の少なくとも１つを含む。
【０１２４】
前記履歴ピンポン再選択記録は、さらに、
前記各ピンポン再選択記録の対応する元セルの識別子、前記各ピンポン再選択記録の対応するターゲットセルの識別子、前記各ピンポン再選択記録の対応するセル再選択理由の少なくとも１つを含む。
【０１２５】
上述のプロセッサーは、さらに以下のように構成されてもよい。
【０１２６】
前記前記セル再選択情報が履歴ピンポン再選択記録とマッチするかを判断するステップは、
前記セル再選択情報と前記履歴ピンポン再選択記録のうちの何れか１つのピンポン再選択記録とが、以下のマッチ条件を満足する場合に、前記セル再選択情報が前記何れか１つのピンポン再選択記録とマッチすることを確定し、前記マッチ条件は、
前記現在のサービングセルの識別子が前記何れか１つのピンポン再選択記録の対応する元セルの識別子とマッチすることと、
前記隣接セルの識別子が前記何れか１つのピンポン再選択記録の対応するターゲットセルの識別子とマッチすることと、
前記セル再選択理由が前記何れか１つのピンポン再選択記録の対応するセル再選択理由とマッチすることと、を含むステップを含む。
【０１２７】
図９は例示的な一実施例に係るセル再選択装置に好適なブロック図である。当該装置は、端末機器に好適である。例えば、装置９００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１２８】
図９を参照すると、装置９００は、処理ユニット９０２、メモリ９０４、電源ユニット９０６、マルチメディアユニット９０８、オーディオユニット９１０、入力/出力（Ｉ/Ｏ）インターフェース９１２、センサーユニット９１４、及び通信ユニット９１６からなる群から選ばれる少なくとも１つを有してもよい。
【０１２９】
処理ユニット９０２は、一般的には、装置９００の全体の操作、例えば、表示、電話呼び出し、データ通信、カメラ操作及び記録操作に関連する操作を制御する。処理ユニット９０２は、上述した方法におけるステップの一部又は全部を実現できるように、命令を実行する少なくとも１つのプロセッサー９２０を有していてもよい。また、処理ユニット９０２は、他のユニットとのインタラクションの便宜を図るように、少なくとも１つのモジュールを有していてもよい。例えば、処理ユニット９０２は、マルチメディアユニット９０８とのインタラクションの便宜を図るように、マルチメディアモジュールを有していてもよい。
【０１３０】
メモリ９０４は、装置９００での操作をサポートするように、各種のデータを記憶するように配置される。これらのデータは、例えば、装置９００で何れのアプリケーション又は方法を操作するための命令、連絡先データ、電話帳データ、メッセージ、画像、ビデオ等を含む。メモリ９０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０１３１】
電源ユニット９０６は、装置９００の各種ユニットに電力を供給するためのものであり、電源管理システム、１つ又は複数の電源、及び装置９００のために電力を生成、管理及び分配することに関連する他のユニットを有していてもよい。
【０１３２】
マルチメディアユニット９０８は、装置９００とユーザとの間に出力インターフェースを提供するスクリーンを有していてもよい。スクリーンは、例えば、液晶ディスプレイ（ＬＣＤ）やタッチパネル（ＴＰ）を有していてもよい。スクリーンは、タッチパネルを有する場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。幾つかの実施例では、マルチメディアユニット９０８は、フロントカメラ及び/又はバックカメラを有してもよい。装置９００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１３３】
オーディオユニット９１０は、オーディオ信号を出力及び/又は入力するように配置される。例えば、オーディオユニット９１０は、マイクロフォン（ＭｉＣ）を有していてもよい。装置９００が、例えば、呼び出しモード、記録モード、又は音声認識モードのような操作モードにあるとき、マイクロフォンは、外部のオーディオ信号を受信するように配置される。受信したオーディオ信号は、メモリ９０４にさらに記憶されてもよいし、通信ユニット９１６を介して送信されてもよい。幾つかの実施例では、オーディオユニット９１０は、オーディオ信号を出力するためのスピーカをさらに有していてもよい。
【０１３４】
Ｉ/Ｏインターフェース９１２は、処理ユニット９０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３５】
センサーユニット９１４は、装置９００のために各方面の状態を評価する少なくとも１つのセンサーを有していてもよい。例えば、センサーユニット９１４は、装置９００のオン/オフ状態や、ユニットの相対的な位置を検出することができる。例えば、前記ユニットは、装置９００のディスプレイ及びキーパッドである。センサーユニット９１４は、装置９００又は装置９００の１つのユニットの位置の変化、ユーザによる装置９００への接触の有無、装置９００の方向又は加速/減速、装置９００の温度変化などを検出することができる。センサーユニット９１４は、何れの物理的な接触もない場合に付近の物体を検出するように配置される近接センサーを有していてもよい。センサーユニット９１４は、イメージングアプリケーションに用いるための光センサー、例えば、ＣＭＯＳ又はＣＣＤ画像センサーを有していてもよい。幾つかの実施例では、当該センサーユニット９１４は、加速度センサー、ジャイロスコープセンサー、磁気センサー、圧力センサー又は温度センサーをさらに有してもよい。
【０１３６】
通信ユニット９１６は、装置９００と他の設備の間との無線又は有線通信の便宜を図るように配置される。装置９００は、例えば、ＷｉＦｉ、２Ｇ又は３Ｇ、又はそれらの組み合わせの通信標準に基づく無線ネットワークにアクセスできる。１つの例示的な実施例では、通信ユニット９１６は、ブロードキャストチャンネルを介して外部のブロードキャスト管理システムからのブロードキャスト信号又はブロードキャストに関する情報を受信する。１つの例示的な実施例では、前記通信ユニット９１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１３７】
例示的な実施例では、装置９００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１３８】
例示的な実施例では、命令を有する非一時的コンピュータ読み取り可能な記録媒体、例えば、命令を有するメモリ９０４をさらに提供する。この命令は、装置９００のプロセッサー９２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１３９】
非一時的コンピュータ読み取り可能な記録媒体は、前記記録媒体における命令が上述の装置９００のプロセッサーにより実行されると、上述の装置９００がセル再選択方法を実行するようにする。前記方法は、
現在のサービングセルに存在する場合に、隣接セルがセル再選択条件を満足するかを判断するステップと、
前記隣接セルが前記セル再選択条件を満足する場合に、前記隣接セルの対応するセル再選択情報を取得するステップと、
前記セル再選択情報が履歴ピンポン再選択記録とマッチするかを判断し、前記セル再選択情報は、現在のセル再選択時間を少なくとも含み、前記履歴ピンポン再選択記録は、各ピンポン再選択記録の対応する履歴セル再選択時間を含むステップと、
前記セル再選択情報が前記履歴ピンポン再選択記録のうちの何れか１つのピンポン再選択記録とマッチする場合に、前記現在のセル再選択時間と前記何れか１つのピンポン再選択記録の対応する履歴セル再選択時間との時間差が、予め設定された時間差よりも大きいかを判断するステップと、
前記時間差が前記予め設定された時間差よりも大きい場合に、前記隣接セルに存在するように、前記隣接セルを前記現在のサービングセルとして再選択するステップと、含む。
【０１４０】
１つの実施例において、前記方法は、さらに
前記隣接セルを前記現在のサービングセルとして再選択した後、前記予め設定された時間差を延長するステップと、
前記履歴ピンポン再選択記録を更新するように、前記セル再選択情報を前記履歴ピンポン再選択記録に記録するステップと、を含む。
【０１４１】
１つの実施例において、前記現在のサービングセルに存在している場合に、隣接セルがセル再選択条件を満足するかを判断するステップは、
セル再選択パラメータを取得するステップと、
前記セル再選択パラメータによって、前記隣接セルが前記セル再選択条件を満足するかを判断するステップと、を含む。
【０１４２】
１つの実施例において、前記セル再選択パラメータを取得するステップは、
前記現在のサービングセルの基地局により発行されたシステムメッセージを受信し、前記システムメッセージは、前記現在のサービングセルの再選択優先度、前記現在のサービングセルの最小アクセスレベル、前記隣接セルの再選択優先度、前記隣接セルの最小アクセスレベルの少なくとも１つを含む、ステップ、
及び／又は、
前記現在のサービングセル及び前記隣接セルの信号品質を測定し、前記信号品質は、現在の信号レベル、参照信号受信電力、参照信号受信品質の少なくとも１つを含むステップを含む。
【０１４３】
１つの実施例において、前記セル再選択パラメータによって、前記隣接セルが前記セル再選択条件を満足するかを判断するステップは、
前記セル再選択パラメータが予め設定された条件を満足する場合に、前記隣接セルが前記セル再選択条件を満足することを判定し、前記予め設定された条件は、
前記隣接セルの現在の信号レベルが前記隣接セルの最小アクセスレベル以上であり、且つ前記隣接セルの再選択優先度が、前記現在のサービングセルの再選択優先度よりも高いこと、又は
前記隣接セルの参照信号受信電力の対応する信号レベルが、前記隣接セルの最小アクセスレベル以上であり、且つ前記隣接セルの再選択優先度が、前記現在のサービングセルの再選択優先度よりも高いこと、又は
前記現在のサービングセルの現在の信号レベルが、前記現在のサービングセルの最小アクセスレベルよりも小さく、且つ前記隣接セルの再選択優先度が、前記現在のサービングセルの再選択優先度よりも低いこと、を含む、ステップを含む。
【０１４４】
１つの実施例において、前記セル再選択条件を満足する隣接セルが少なくとも２つ存在する場合に、前記隣接セルの対応するセル再選択情報を取得するステップは、
前記少なくとも２つの隣接セルのうちの各隣接セルの再選択優先度及び／又は前記各隣接セルの信号品質によって、前記少なくとも２つの隣接セルからターゲット隣接セルを確定するステップと、
前記ターゲット隣接セルの対応するセル再選択情報を取得するステップと、を含む。
【０１４５】
１つの実施例において、前記セル再選択情報は、さらに
前記現在のサービングセルの識別子、前記隣接セルの識別子、セル再選択理由の少なくとも１つを含む。
【０１４６】
前記履歴ピンポン再選択記録は、さらに、
前記各ピンポン再選択記録の対応する元セルの識別子、前記各ピンポン再選択記録の対応するターゲットセルの識別子、前記各ピンポン再選択記録の対応するセル再選択理由の少なくとも１つを含む。
【０１４７】
１つの実施例において、前記セル再選択情報が履歴ピンポン再選択記録とマッチするかを判断ステップは、
前記セル再選択情報と前記履歴ピンポン再選択記録のうちの何れか１つのピンポン再選択記録とが、以下のマッチ条件を満足する場合に、前記セル再選択情報が前記何れか１つのピンポン再選択記録とマッチすることを確定し、前記マッチ条件は、
前記現在のサービングセルの識別子が前記何れか１つのピンポン再選択記録の対応する元セルの識別子とマッチすることと、
前記隣接セルの識別子が前記何れか１つのピンポン再選択記録の対応するターゲットセルの識別子とマッチすることと、
前記セル再選択理由が前記何れか１つのピンポン再選択記録の対応するセル再選択理由とマッチすることと、を含むステップを含む。
【０１４８】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、例示的なものにすぎず、本発明の真の範囲と主旨は、以下の特許請求の範囲によって示される。
【０１４９】
本発明は、上記で記述され、図面で図示した特定の構成に限定されず、その範囲を逸脱しない範囲で、様々な修正や変更を行うことができる。本発明の範囲は、添付される特許請求の範囲のみにより限定される。
【図１】
0006596070.tif 000002
【図２】
0006596070.tif 000003
【図３】
0006596070.tif 000004
【図４】
0006596070.tif 000005
【図５】
0006596070.tif 000006
【図６】
0006596070.tif 000007
【図７】
0006596070.tif 000008
【図８】
0006596070.tif 000009
【図９】
0006596070.tif 000010